(57)【要約】【課題】製造手段として複写帳票製造装置が利用可能な、送付物を衝撃などから護るための台紙付き緩衝材を提供する。【解決手段】送付物に巻き付けられ、送付物を衝撃などから護るための台紙付き緩衝材であって、緩衝材は同一形状の山が同一ピッチで連接された波板形状を成し、緩衝材と台紙は、巻き付け方向のそれぞれの始端部および／または終端部、および、前記山の少なくとも一部の底部で固定され、緩衝材には、山の稜線方向を縦方向としたときに、横方向に緩衝材を貫通する切込み対が複数形成された台紙付き緩衝材を提供する。【選択図】  図１
2008127055.tif 000002
【特許請求の範囲】
【請求項１】
送付物に巻き付けられ、送付物を衝撃などから護るための台紙付き緩衝材であって、
緩衝材は同一形状の山が同一ピッチで連接された波板形状を成し、
緩衝材と台紙は、巻き付け方向のそれぞれの始端部および／または終端部、および、前記山の少なくとも一部の底部で固定され、
緩衝材には、山の稜線方向を縦方向としたときに、横方向に緩衝材を貫通する切込み対が複数形成されたことを特徴とする台紙付き緩衝材。
【請求項２】
請求項１に記載の台紙付き緩衝材において、
切込み対は、縦方向に対向する状態で形成された、２以上の切込みで構成されたことを特徴とする台紙付き緩衝材。
【請求項３】
請求項１，２何れかに記載の台紙付き緩衝材において、
台紙または緩衝材、または台紙，緩衝材の両方の表出面には印刷が施されたことを特徴とする台紙付き緩衝材。
【請求項４】
請求項１〜３何れかに記載の台紙付き緩衝材において、
台紙および緩衝材の基材には、パルプを主原料とする材料、または、自然環境内で分解性を有する合成樹脂フィルムの何れかが使用されたことを特徴とする台紙付き緩衝材。
【発明の詳細な説明】
【技術分野】
【０００１】
本発明は、送付物を衝撃などから護るための台紙付き緩衝材に関する。
【背景技術】
【０００２】
通販会社等では、商品の配達のために宅配便を利用することが多い。
その際、商品のほかに、段ボールや封筒などの収納具、納品明細書，配送伝票といったものが準備される。商品が化粧品や食べ物、文房具といった小物類の場合の収納具には、ほぼ例外なく段ボールか封筒が使用される。
通販会社等では、納品明細書を見ながら、顧客からリクエストのあった商品を所定の収納具（例えば、段ボール）に入れ、箱詰めした内容をチェックしてから納品明細書も段ボールに入れ、段ボールを封緘したら、配送伝票を所定位置に貼り込んで発送するというのが代表的な配送までの流れである。
しかしながら、商品毎に段ボールが用意されるわけではないために、多くの場合、商品と段ボールの内側に隙間が生じる。
この隙間のために輸送途中で商品が箱内で踊ってしまい、その結果、最悪の場合、届いた荷物が破損することになってしまう。この破損を防ぐために、詰め物を入れたり、緩衝材と呼ばれる資材を隙間に入れている。
したがって、正確には、前述の「代表的な配送までの流れ」に、「商品を箱に入れた後で緩衝材を入れる」という工程が加わる。
家電製品のように、箱の中に納める商品の形やサイズが一定であれば、緩衝材でなく、パルプモールド等で製品を中空に浮かしたりすることも可能であるが、通販の場合は、前述のように、同じものを１個だけ買う人や複数まとめて買う人がいるために、全パターンに合わせた箱を用意することは現実的ではない。
その結果、緩衝材は不可欠な資材となる。
【０００３】
そこで、合成樹脂を原料とする緩衝材が提供されている（例えば、特許文献１参照）。
しかしながら、特許文献１に記載されている「筒状の緩衝包装部材」は、顧客側の環境意識の高まりもあって、従来から広く利用されている「エアキャップ」等の合成樹脂を原料とする緩衝材と同様、近年使い難くなってきている。
一方、前述の詰め物として、新聞紙を丸めて入れたり、シュレッダーの塵を箱の中に入れる方法は、環境面ではともかく、商品を受け取る顧客からは、その体裁から、必ずしも好評ではない。また、パルプを主原料とする紙では「エアキャップ」のようなものは作り難い。
【０００４】
【特許文献１】特開２００４−９０９３４号公報
【発明の開示】
【発明が解決しようとする課題】
【０００５】
そこで本発明は、製造手段として複写帳票製造装置が利用可能な、送付物を衝撃などから護るための台紙付き緩衝材を提供することを目的とするものである。
【課題を解決するための手段】
【０００６】
前記課題の目的を達成するために、本発明の台紙付き緩衝材の第一の態様は、送付物に巻き付けられ、送付物を衝撃などから護るための台紙付き緩衝材であって、緩衝材は同一形状の山が同一ピッチで連接された波板形状を成し、緩衝材と台紙は、巻き付け方向のそれぞれの始端部および／または終端部、および、前記山の少なくとも一部の底部で固定され、緩衝材には、山の稜線方向を縦方向としたときに、横方向に緩衝材を貫通する切込み対が複数形成されたことを特徴とするものである。
【０００７】
また、第二の態様は、第一の態様において、切込み対は、縦方向に対向する状態で形成された、２以上の切込みで構成されたことを特徴とするものである。
【０００８】
また、第三の態様は、第一，第二何れかの態様において、台紙または緩衝材、または台紙，緩衝材の両方の表出面には印刷が施されたことを特徴とするものである。
【０００９】
また、第四の態様は、第一，第二，第三何れかの態様において、台紙および緩衝材の基材には、パルプを主原料とする材料、または、自然環境内で分解性を有する合成樹脂フィルムの何れかが使用されたことを特徴とするものである。
【発明の効果】
【００１０】
１）本発明の台紙付き緩衝材の第一の態様のように、送付物に巻き付けられ、送付物を衝撃などから護るための台紙付き緩衝材であって、緩衝材は同一形状の山が同一ピッチで連接された波板形状を成し、緩衝材と台紙は、巻き付け方向のそれぞれの始端部および／または終端部、および、前記山の少なくとも一部の底部で固定され、緩衝材には、山の稜線方向を縦方向としたときに、横方向に緩衝材を貫通する切込み対が複数形成されたことによって、丸みを帯びた送付物を安全に送付することができる。
また、緩衝材によって送付物を衝撃などによる破壊から護るだけでなく、緩衝材を貫通する切込み対が形成されているために、切込み部で緩衝材部分を引き出して送付物を固定させることによって、輸送中の移動による損壊から送付物を護ることができる。
２）また、第二の態様のように、第一の態様において、切込み対は、縦方向に対向する状態で形成された、２以上の切込みで構成されたことによって、送付物の大きさに応じて送付物を固定する切込み対を選択することができ、送付物の移動幅を小さくすることができる。その結果、より安全に送付物を送付することができる。
３）また、第三の態様のように、第一，第二何れかの態様において、台紙または緩衝材、または台紙，緩衝材の両方の表出面には印刷が施されたことによって、広告や注意書きを印刷することができ、台紙付き緩衝材の表出するスペースを有効に利用することができる。
４）また、第四の態様のように、第一，第二，第三何れかの態様において、台紙および緩衝材の基材には、パルプを主原料とする材料、または、自然環境内で分解性を有する合成樹脂フィルムの何れかが使用されたことによって、環境に優しい台紙付き緩衝材とすることができる。
【発明を実施するための最良の形態】
【００１１】
以下、図面を参照して本発明の台紙付き緩衝材について詳細に説明する。
図１は、本発明の台紙付き緩衝材の一例について説明するための図，図２は、図１のＡ−Ａ線断面について説明するための図，図３は、送付物に本発明の台紙付き緩衝材を巻き付け、切込み対で送付物を固定した状態の一例について説明するための図，図４は、図３の状態を横方向から見た状態の一例について説明するための図，図５は、図３の状態を横方向から見た状態の他の一例について説明するための図，である。
【００１２】
図１を参照して、本発明の台紙付き緩衝材の一例について説明する。
本発明の台紙付き緩衝材は、丸みを帯びた送付物を安全に送付するためのものである。
図に示す台紙付き緩衝材１の例では、緩衝材１１は同じ形状の山が同一ピッチで連接された波板形状をしており、緩衝材１１と台紙１２は、それぞれの始端部の固定部３で固定されている。
図に示す台紙１２の例は、緩衝材１１より巻き付け方向の長さが短くなっている例で、前述の始端部で固定されている他に、図示しないが、山の少なくとも一部の底部で固定されている。台紙には引き剥がし可能な粘着剤などが塗布されており、山の底部との固定面積が狭いために簡単に剥がすことができるようになっている。
【００１３】
図に示す台紙付き緩衝材の他に、台紙１２と緩衝材１１の巻き付け方向の長さが同じ長さになっている場合もある。このような台紙付き緩衝材の場合は、緩衝材１１および台紙１２の始端，終端の固定部で固定されている。
台紙１２と緩衝材１１が同じ長さになっていて、そのままの状態で使用される場合は、台紙付き緩衝材１の長さ（図１の左右方向の長さ）と送付物の周が同じか、送付物の周より短い場合に都合が良い。
また、送付物の周より台紙付き緩衝材１の長さが長い場合は、余る台紙の部分を切除して、図１の状態にして使用することができる。
【００１４】
図１に示すような、台紙１２の長さが緩衝材１１より短くなっている台紙付き緩衝材１の場合は、円筒形の送付物５の周囲に緩衝材を台紙と共に巻き付け、余った緩衝材を既に巻き付けられている山部に重ね合わせて調整することができる。
この場合、台紙付き緩衝材１の終端部（図の右側）から巻き始め、台紙１２から露出した緩衝材１１部分に台紙付き緩衝材１の始端部を重ね合わせて固定する。
固定する場合は、図示しないが、台紙に形成されている粘着剤で固定する。
【００１５】
緩衝材１１には、山の稜線方向を縦方向としたときに、横方向に緩衝材を貫通する切込み対が複数形成されている。
ここでいう切込み対とは、切込み２１と、その真下に形成された切込み２２又は切込み２３との対のことである。切込み２１と切込み２２を対で使用する場合は、送付物５の丈が短い場合で、切込み２１と切込み２３を対で使用する場合は、送付物５の丈が長すぎて切込み２１と切込み２２を対として使用できない場合である。
【００１６】
図示しないが、台紙１２または緩衝材１１、または、台紙１２，緩衝材１１の両方の表出面には、送付側の広告や送付物の取り扱い等に関する文言を印刷することができる。
また、台紙および緩衝材の基材には、パルプを主原料とする材料、または、自然環境内で分解性を有する合成樹脂フィルムを使用することができる。
【００１７】
図２を参照して、図１のＡ−Ａ線断面について説明する。
台紙１２の上部に、波板状に折り畳まれた台紙より長い緩衝材１１がそれぞれの始端の固定部３で接着剤などにより接着されて固定されている。
また、台紙１２の緩衝材１１の側には、全面に、または、部分的に自着性の粘着剤が形成された粘着部４、または、再剥離再貼付型の粘着剤が形成された粘着部４が形成されていて、緩衝材の山の底部で固定されている。
何れのタイプの粘着剤を使った場合も、接着面積が狭いために波板状の緩衝材を台紙から容易に引き剥がすことができるようになっている。
【００１８】
図３は、送付物に図１で説明した台紙付き緩衝材を巻き付け、切込み対で送付物を固定し、緩衝材に形成された切込み対の間に送付物が固定された状態を送付物の真上から見た状態の一例を示している。
送付物５の周囲には台紙付き緩衝材が、緩衝材１１，台紙１２の層を形成して巻き付けられ、図示しないが、余った部分は緩衝材の山と谷の部分が重ね合わされ、その上から台紙が重ね合わされて固定されている。
台紙付き緩衝材が巻きつけられた後、図１で説明した切込み２１を内側に引っ張って波板状の凹凸を平らに伸ばし、送付物の端に広げる。
同様に、別の箇所に形成された切込み（図示しないが、図１で説明した切込み２１の左側に形成されている切込み）を内側に引っ張って波板状の凹凸を平らに伸ばし、送付物の図示していない他端に広げる。
その結果、送付物の他端も同様、切込み対の、残る一方の切込み２２または切込み２３、および、前述の別の箇所に形成された切込みによって固定される。
【００１９】
図４を参照して、図３の状態を横方向から見た状態の一例について説明する。
送付物５は、周囲に台紙付き緩衝材が巻き付けられ、台紙１２，緩衝材１１の層を形成している。
送付物５の左端には切込み２１で広げられた緩衝材が送付物５の動きを抑えている。
送付物５の右端には切込み２２で広げられた緩衝材が送付物５の動きを抑えている。
図示しないが切込み２２と切込み２３は一緒に広げられても良い。
【００２０】
図５を参照して、図３の状態を横方向から見た状態の他の一例について説明する。
送付物５０は、周囲に台紙付き緩衝材が巻き付けられ、台紙１２，緩衝材１１の層を形成している。
送付物５０の左端には、切込み２１で広げられた緩衝材が送付物５０の動きを抑えている。
送付物５０の右端には、切込み２３で広げられた緩衝材が送付物５０の動きを抑えている。
【００２１】
送付物は、図３，図４、または、図３，図５のように台紙付き緩衝材に収納された状態で封筒等に入れられ、送付される。
【００２２】
（材料）
本発明の台紙付き緩衝材に使用される材料の一例について説明する。
先ず、台紙付き緩衝材の台紙、および、緩衝材の基材には、パルプを主原料とする材料（以下、紙の例で説明する）が使用される。
パルプには，クラフトパルプ，サルファイトパルプ等の化学パルプ，グラウンドパルプ，リファイナーグラウンドウッドパルプ等の機械パルプ，ケミグラウンドウッドパルプ，セミケミカルパルプ等の半化学パルプ，古紙パルプ，合成パルプ等があり、これらを単独または数種類混合して使用される。
これらパルプを主原料とした塗工紙として、通常市販されている、例えば、アート紙，コート紙，軽量コート紙等があり、非塗工紙として、例えば、上質紙，中質紙，下級紙や未晒クラフト紙，晒クラ フト紙等がある。
本発明の台紙付き緩衝材の台紙、および、緩衝材用の紙として、これらの紙の中から適宜選択して使用する。
本発明の台紙付き緩衝材の台紙に使用される紙は、比較的厚い紙を使用することが好ましい。
例えば、台紙に使用する紙として、フォーム印刷機で使用できる１０５ｇ／ｍ2程度の紙を使用する。
その結果、送付物の重さに対して台紙付き緩衝材が折れ曲がることなく楽に封筒に差し込むことができ好適に使用できる。
【００２３】
また、自然環境内で分解性を有する合成樹脂とは、加水分解、光分解、微生物分解等により、自然環境下で分解する樹脂のことである。
このような樹脂の例を挙げると、脂肪族二塩基酸と二価アルコールの縮合重合により合成される各種の脂肪族ポリエステルなどがある。例えば、コハク酸、アジピン酸とエチレングリコール、１，４ブタンジオールの縮合重合により得られるポリエチレンサクシネート、ポリエチレンアジペート、ポリテトラメチレンアジペート等の脂肪族ポリエステルなどである。また、３官能又は４官能の多価アルコール、オキシカルボン酸および多価カルボン酸、若しくはその無水物から合成した脂肪族ポリエステルなども使用することができる。さらに、ポリ乳酸、ポリグリコール酸等の脂肪族ポリエステルなどを使用することもできる。
【００２４】
緩衝材を台紙の始端、終端に固定するために使用される接着剤としては、澱粉系，天然ゴム系，酢酸ビニル系，ＥＶＡ系，ポリウレタン系，ポリビニルアルコール系，アクリル系その他から選択され、製造装置に合せて使用される。
【００２５】
台紙の表面に形成される粘着剤について説明する。
自着性粘着剤としては、主として天然ゴムを主成分とする粘着剤を使用する。
再剥離再貼付型粘着剤としては、『微球タイプ再剥離型粘着剤』や、粘着剤に硬化剤を添加したタイプ、例えば、２ＥＨＡ（２エチルヘキシルアクリレート）等のガラス転移温度が低いアクリル樹脂をエマルジョン化したものに、適宜架橋剤を加えて硬化性を高めたもの等を使用する。
【００２６】
台紙や緩衝材に印刷が施される場合は、印刷のためのインキとして、市販のインキを使用することができる。
オフセット印刷方式で印刷される場合、通常使用される紫外線硬化型インキや、一般タイプと呼ばれる酸化重合型インキを好適に使用することができる。
フレキソ印刷方式で印刷される場合、水系インキや有機溶剤系インキなどに加え、紫外線硬化タイプのインキなども市販されているため、用途等に応じて選択することが可能である。
また、一度使用した用紙が古紙として再利用される場合は、大豆油インキと呼ばれる脱墨性に優れるインキが好適である。大豆油インキは、酸化重合型のインキで、従来から使用されてきた亜麻仁油インキに代わって使用され始めたもので、両者とも環境対応度に大差はないが、脱墨性の点では大豆油インキが優れている。
いずれの印刷方式においても、目的や用途、使用する設備に合致した上で、できる限り環境に配慮したインキを使用することが望ましい。
紫外線硬化型インキは、原則として溶剤分を含まないのでＶＯＣの面では非常に優れているが、反面、ＵＶランプ（通常は、８，０００Ｗ程度のものが使用される）という非常に大きな電力でインキを硬化させるため、省エネルギーの面では酸化重合型インキには及ばない。また、有機溶剤型インキであっても、乾燥時に要するエネルギーが少なくて済む点では優れているため、乾燥時に蒸発する溶剤を完璧に回収できる製造装置であれば、環境に配慮しているということができる。
【００２７】
以上、本発明の台紙付き緩衝材に使用される材料の一例について説明したが、前述の記載材料に拘るものではなく、適宜選択し、また、選択したものを組み合わせて使用することができる。
【産業上の利用可能性】
【００２８】
通信販売などの業種における送付物送付用緩衝材に利用できる。
【図面の簡単な説明】
【００２９】
【図１】本発明の台紙付き緩衝材の一例について説明するための図である。
【図２】図１のＡ−Ａ線断面について説明するための図である。
【図３】送付物に本発明の台紙付き緩衝材を巻き付け、切込み対で送付物を固定した状態の一例について説明するための図である。
【図４】図３の状態を横方向から見た状態の一例について説明するための図である。
【図５】図３の状態を横方向から見た状態の他の一例について説明するための図である。
【符号の説明】
【００３０】
１      台紙付き緩衝材
３      固定部
４      粘着部
５，５０  送付物
１１    緩衝材
１２    台紙
２１，２２，２３  切込み
【図１】
2008127055.tif 000003
【図２】
2008127055.tif 000004
【図３】
2008127055.tif 000005
【図４】
2008127055.tif 000006
【図５】
2008127055.tif 000007